(57)【要約】【課題】  マットの下に敷くクッションを体型の部位に合わせて硬い材質のクッションを敷くようにして体動の伝達を押さえて寝心地が良く且つストレスを引き起こさない静かな姿勢を得られるクッション装置を提供する。【解決手段】  クッション装置は、人が仰臥位で寝る又は座位で座ることができるマットと、このマットの下に敷くクッションとからなり、クッションは、枠体内に直方形体のクッションブロックを敷き詰め、この敷き詰めたクッションブロックのそれぞれは、弾力が異なる材質で形成する。【選択図】  図１
2005065814.tif 000002
【特許請求の範囲】
【請求項１】
人が寝る又は座位で座ることができるマットと、該マットの下に敷くクッションとからなり、
前記クッションは、枠体内に直方形体のクッションブロックを敷き詰め、該敷き詰めたクッションブロックのそれぞれは、弾力が異なる材質で形成したことを特徴とするクッション装置。
【請求項２】
前記敷き詰めたクッションブロックのうち、使用者の体形や姿勢に合わせて肩部、臀部・大腿部、踵部の位置には硬い材質のクッションブロックを敷設し、腰椎部、足部の位置には軟らかい材質のクッションブロックを敷設したことを特徴とする請求項１に記載のクッション装置。
【請求項３】
前記クッションの大きさは、ベッドの大きさに応じて任意に変更できるようにしたことを特徴とする請求項１または２に記載のクッション装置。
【請求項４】
前記敷き詰めたクッションブロックからなるクッションの大きさは、前記マットの大きさの範囲内であることを特徴とする請求項１乃至３のいずれかに記載のクッション装置。
【請求項５】
前記枠体は、ベッドを形成するテーブルに備えた凹形の溝であることを特徴とする請求項１乃至４のいずれかに記載のクッション装置。
【発明の詳細な説明】
【技術分野】
【０００１】
本発明は、クッション装置に関するもので、詳しくは脳磁計用計測ベッドのマット下部のクッションの構造に関するもので、マット下の下敷きマットに相当する構造を、硬さの異なるクッションを人の部位に合わせて並べることで、頭を定位置に置いた被測定者が快適な寝心地を得ることができ、確度の高い脳磁計測を可能にしたベッドに備えるクッション装置に関するものである。
又、上記構造のベッドにすることで、長期間の寝心地を求める一般のベッド或いは、安楽椅子等の総てに応用が可能なベッドに備えるクッション装置に関する。
【背景技術】
【０００２】
従来技術におけるクッション装置は、図５に示すように、一方の端部に枕１１２を備えた脳磁用計測ベッド１１１のテーブル１１３上に肉厚が略均一のクッション（下敷きマット）１１４を敷き、その上部にやはり肉厚が略均一のマット１１５を敷いたものが周知である。
このような構造からなるクッション装置において、そのマット１１５上に被計測者（使用者）１１６が仰臥位で寝ると共に頭部を枕１１２に載せた状態で脳磁等の計測を行う。
【０００３】
【特許文献１】特開２００３−１２５９０３号公報（第３頁〜４頁  第１図）
【特許文献２】特開２００３−３８３０４号公報（第３頁〜４頁  第１図）
【発明の開示】
【発明が解決しようとする課題】
【０００４】
しかし、従来技術で説明したクッション装置における被計測者（使用者）１１６が仰臥位で寝るマットの構造は、マット１１５を二重に敷くか、硬さが均質のクッション１１４が用いられていた。
そのため、人体とマット１１５が接触する面は、それぞれの体の部位の質量とクッション１１４の反力で釣り合う。全体が不均質な圧力で釣り合うため、特に腰椎部１１７は、圧迫感が強いため不快感を持つと同時に、被計測者１１６が発する体動を頭部に伝達する状態での計測になる。被計測者１１６が腰弱者や仰臥位姿勢に苦痛を感じる場合、体を動かしやすくなり、的確で安定した脳磁計測が期待できないという問題がある。
【０００５】
従って、固定した枕に頭を載せた姿勢で静かな寝心地の良い仰臥位姿勢を保持するために、ベッドのテーブルに載せたマット下のクッション構造を、硬さの異なるクッションブロックにする共に、被計測者の体形に合わせて並べて組合せることで、人の体形・姿勢に合わせたマットの適度な沈み込みにすることに解決しなければならない課題を有する。
【課題を解決するための手段】
【０００６】
このような課題を達成するために、本発明のクッション装置は、次に示す構成にすることである。
【０００７】
（１）クッション装置は、人が寝る又は座位で座ることができるマットと、該マットの下に敷くクッションとからなり、前記クッションは、枠体内に直方形体のクッションブロックを敷き詰め、該敷き詰めたクッションブロックのそれぞれは、弾力が異なる材質で形成したことである。
（２）前記敷き詰めたクッションブロックのうち、使用者の体形や姿勢に合わせて肩部、臀部・大腿部、踵部の位置には硬い材質のクッションブロックを敷設し、腰椎部、足部の位置には軟らかい材質のクッションブロックを敷設したことを特徴とする（１）に記載のクッション装置。
（３）前記クッションの大きさは、ベッドの大きさに応じて任意に変更できるようにしたことを特徴とする（１）または（２）に記載のクッション装置。
（４）前記敷き詰めたクッションブロックからなるクッションの大きさは、前記マットの大きさの範囲内であることを特徴とする（１）乃至（３）のいずれかに記載のクッション装置。
（５）前記枠体は、ベッドを形成するテーブルに備えた凹形の溝であることを特徴とする（１）乃至（４）のいずれかに記載のクッション装置。
【発明の効果】
【０００８】
人が固定した枕に頭を載せてマット上に仰臥位或いは、座位でマットに載ったとき、人体の接触する箇所のマットは、人体の体形と身長に合った適度の沈み込みを生み出すことができると同時に、心地良い姿勢を保持できるので、頭部への体動の伝達を押さえることができる。
【発明を実施するための最良の形態】
【０００９】
次に、本発明に係るクッション装置の実施形態について、図面を参照して、以下説明する。
【実施例１】
【００１０】
本願発明のクッション装置は、図１及び図２に示すように、脳磁計測用ベッド１１に適用したものであり、それは、ベッド１１のテーブル１３面に、マット１５のサイズより小型で、クッションブロック２１ａ、２１ｂ、２１ｃ、２１ｄ、２１ｅ、２１ｆ、２２ａ、２２ｂ、２２ｃ、２２ｄが敷設できる枠体２０である凹型の溝（サイズ：大人の被測定者が納まる大きさ：例えば４５０ｘ１，６００相当）を設ける。その溝に、直方形体の硬さの異なるクッションブロック２１ａ、２１ｂ、２１ｃ、２１ｄ、２１ｅ、２１ｆ、２２ａ、２２ｂ、２２ｃ、２２ｄを長手方向を隣接させて敷き詰める。
敷き詰めたクッションブロック２１ａ、２１ｂ、２１ｃ、２１ｄ、２１ｅ、２１ｆ、２２ａ、２２ｂ、２２ｃ、２２ｄの配分は、被計測者１６が枕位置に頭を載せ、仰臥位で寝た時の肩部、臀部・大腿部および踵部位置に硬い材質で形成されたクッションブロック２１ａ、２１ｂ、２１ｃ、２１ｄ、２１ｅ、２１ｆを敷設し、腰椎部、足部の位置は、軟らかい材質で形成されたクッションブロック２２ａ、２２ｂ、２２ｃ、２２ｄを敷設する。その敷設したクッションブロック２１ａ、２１ｂ、２１ｃ、２１ｄ、２１ｅ、２１ｆ、２２ａ、２２ｂ、２２ｃ、２２ｄの上に、被計測者１６が載るマット１５を敷く。
このように、ベッド１１のテーブル構造とマット１５の下のクッションブロック２１ａ、２１ｂ、２１ｃ、２１ｄ、２１ｅ、２１ｆ、２２ａ、２２ｂ、２２ｃ、２２ｄを弾性の異なるクッションブロックで作り、被計測者の部位に相対して選択して並べて敷く構造を実現する。
【００１１】
このような構造のクッション装置において、被計測者１６が枕１２位置に頭を載せ仰臥位で寝た時、肩部、臀部・大腿部および踵部位置に硬いクッションブロック２１ａ、２１ｂ、２１ｃ、２１ｄ、２１ｅ、２１ｆが位置しているため、その敷設したクッションブロック２１ａ、２１ｂ、２１ｃ、２１ｄ、２１ｅ、２１ｆの上に、被計測者１６が仰臥位姿勢で寝た状態は、適度なマットの沈み込みが得られる。同時に体動の伝達を押さえて寝心地が良く且つストレスを引き起こさない静かな姿勢を得られるので、神経細胞の活動を診断する脳磁計測に最適な状態を実現できる。
【００１２】
このようにして、ベッドの機能として求められる機能の「沈み込み」と「弾力性（クッションの弾性）」の設定を硬さの異なるクッションブロック２１ａ、２１ｂ、２１ｃ、２１ｄ、２１ｅ、２１ｆ、２２ａ、２２ｂ、２２ｃ、２２ｄをその都度（ベッドに載る人の体形・身長に合わせて）並べ替えることで容易に実現する。クッションブロック２１ａ、２１ｂ、２１ｃ、２１ｄ、２１ｅ、２１ｆ、２２ａ、２２ｂ、２２ｃ、２２ｄもテーブルの枠体２０である凹形の溝の形状に埋めてゆくだけで容易に実現するため、ユーザ、病院の取扱者が計測時に、被計測者１６の体形／姿勢に合わせた調整が容易に実施できる。
クッションブロック２１ａ、２１ｂ、２１ｃ、２１ｄ、２１ｅ、２１ｆ、２２ａ、２２ｂ、２２ｃ、２２ｄの形状及び数は、自由に選定して用意し、使用時に選択あるいは配置替えすれば容易にベッド１１に求められる機能の適度な「沈み込み」と「弾力性（クッションの弾性）」の設定を実現することができる。
【実施例２】
【００１３】
図３は、被計測者が子供であるときのクッションの様子を示したもので、その被計測者１６Ａの体形に合わせて、硬い材質のクッションブロック２１ａ、２１ｂ、２１ｃと軟らかい材質のクッションブロック２２ａ、２２ｂとを並べ替えることで実現できる。
具体的に示せば、被計測者である子供の背丈に合わせ、枕位置に頭を載せ仰臥位で寝た時、肩部、臀部・大腿部および踵部位置に硬いクッションブロック２１ａ、２１ｂ、２１ｃを敷設しているため、その敷設したクッションブロック２１ａ、２１ｂ、２１ｃの上に、被計測者１６Ａが仰臥位姿勢で寝た状態は、適度なマット１５の沈み込みが得られる。同時に体動の伝達を押さえて寝心地が良く且つストレスを引き起こさない静かな姿勢を得られるので、神経細胞の活動を診断する脳磁計測に最適な状態を実現できる。
【実施例３】
【００１４】
図４に示すものは、略４５°に傾斜したベッド１１に被計測者１６が座位の状態で寝ている状態を示したもので、この場合にも、被計測者１６の枕位置に頭を載せた時、肩部、臀部・大腿部（および踵部）位置に硬いクッションブロック２１ａ、２１ｂ、２１ｄ、２１ｅ、２１ｆを敷設しているため、その敷設したクッションブロック２１ａ、２１ｂ、２１ｄ、２１ｅ、２１ｆの上に、被計測者１６が座位状態のときでも、適度なマット１５の沈み込みが得られる。同時に体動の伝達を押さえて寝心地が良く且つストレスを引き起こさない静かな姿勢を得られるので、神経細胞の活動を診断する脳磁計測に最適な状態を実現できる。
このように、傾斜４５°のベッド構造になっているが座位（または椅子）構造あるいは、安楽椅子等でも同様の構造が実現できるのである。
【産業上の利用可能性】
【００１５】
硬さの異なる材質でクッションブロックを作成し、被計測者の肩部、臀部・大腿部および踵部位置に硬いクッションブロックを敷設し、その他の部位には軟らかいクッションブロックを敷設するようにしたことで、被計測者が仰臥位姿勢で寝た状態は、適度なマットの沈み込みが得られる。同時に体動の伝達を押さえて寝心地が良く且つストレスを引き起こさない静かな姿勢を得られるので、神経細胞の活動を診断する脳磁計測に最適な状態を実現できるクッション装置を提供できる。
【図面の簡単な説明】
【００１６】
【図１】本願発明のクッション装置の平面図である。
【図２】同、側面からみた一部断面図である。
【図３】同、被計測者が子供であるときのクッションブロックの配置変えを行った様子を示したクッション装置の側面図である。
【図４】同、略４５°のベッドの側面図である。
【図５】従来技術におけるクッション装置を備えたベッドを示す説明図である。
【符号の説明】
【００１７】
１１      ベッド
１２      枕
１３      テーブル
１５      マット
１６      被計測者
１６Ａ    被計測者
２０      枠体
２１ａ    クッションブロック
２１ｂ    クッションブロック
２１ｃ    クッションブロック
２１ｄ    クッションブロック
２１ｅ    クッションブロック
２１ｆ    クッションブロック
２２ａ    クッションブロック
２２ｂ    クッションブロック
２２ｃ    クッションブロック
２２ｄ    クッションブロック
【図１】
2005065814.tif 000003
【図２】
2005065814.tif 000004
【図３】
2005065814.tif 000005
【図４】
2005065814.tif 000006
【図５】
2005065814.tif 000007